(57)【要約】【課題】本発明は、ステータヨークの凹部に括れ部を有するステータティースを取付け、方向性珪素鋼板の使用と占積率の向上を得ることを目的とする。【解決手段】本発明によるステータ鉄心は、ステータヨーク(1)の凹部(2)に括れ部(3b)を有するステータティース(3)を取付け、第１、第２方向性(X,Y)を有する方向性珪素鋼板によってステータヨーク(1)とステータティース(3)を形成する構成である。【選択図】図１
2007209070.tif 000002
【特許請求の範囲】
【請求項１】
輪状をなすステータヨーク(1)に複数のステータティース(3)を所定角度間隔で別体として取付けるようにしたステータ鉄心において、
前記ステータヨーク(1)に形成された凹部(2)と、前記ステータティース(3)の根元部(3a)に形成され前記凹部(2)と係合するための括れ部(3b)とを有し、前記ステータヨーク(1)及びステータティース(3)は、鋼板の圧延方向を有する方向性珪素鋼板よりなると共に互いに異なる第１、第２方向性(X,Y)を有することを特徴とするステータ鉄心。
【請求項２】
前記ステータヨーク(1)は、その円周方向に沿う前記第１方向性(X)を有し、前記ステータティース(3)はその長手方向(6)に沿う前記第２方向性(Y)を有していることを特徴とする請求項１記載のステータ鉄心。
【請求項３】
前記ステータティース(3)の前記根元部(3a)には、前記括れ部(3b)に連続するテーパ部(5)が形成されていることを特徴とする請求項１又は２記載のステータ鉄心。
【請求項４】
前記ステータヨーク(1)には、前記凹部(2)に対応して薄肉部(10)が形成され、前記薄肉部(10)で曲折されていることを特徴とする請求項１ないし３の何れかに記載のステータ鉄心。
【請求項５】
前記各ステータティース(3)は、前記ステータヨーク(1)の内側又は外側に突出して設けられていることを特徴とする請求項１ないし４の何れかに記載のステータ鉄心。
【請求項６】
前記各ステータティース(3)には、各ステータティース(3)を前記ステータヨーク(1)に取付ける前にステータ巻線(7)が巻付けられていることを特徴とする請求項１ないし５の何れかに記載のステータ鉄心。
【発明の詳細な説明】
【技術分野】
【０００１】
本発明は、ステータ鉄心に関し、特に、ステータティースに設けられた括れ部を介してステータティースをステータヨークに強固に取付けると共に、ステータヨークとステータティースの鋼板の圧延方向である方向性を異ならせることにより、方向性珪素鋼板を用いてステータ鉄心を形成するための新規な改良に関する。
【背景技術】
【０００２】
従来、用いられていたこの種のモータにおけるステータ鉄心としては、例えば、特許文献１にも示されているモータに適用される場合、ステータ鉄心が一体又は分割型であるとかに拘わらず、鋼板の圧延方向である方向性を有する方向性珪素鋼板を用いられていなかった。
【０００３】
【特許文献１】特開平１１−６９７５９号公報
【発明の開示】
【発明が解決しようとする課題】
【０００４】
従来のステータ鉄心は、以上のように構成されていたため、次のような課題が存在していた。
すなわち、ステータ鉄心の材質に方向性珪素鋼板が用いられていなかったため、鉄損を低減して高効率のモータ等を得ることは困難であった。
また、ステータヨークとステータティースとを分割型とした場合には、方向性珪素鋼板を用いることは可能であるが、ステータティースとステータヨークの接続構造が単なる凹凸の組合わせであったため、十分な接続強度を得ることができず、剛性の高いステータ鉄心を得ることは困難であった。
【課題を解決するための手段】
【０００５】
本発明によるステータ鉄心は、輪状をなすステータヨークに複数のステータティースを所定角度間隔で別体として取付けるようにしたステータ鉄心において、前記ステータヨークに形成された凹部と、前記ステータティースの根元部に形成され前記凹部と係合するための括れ部とを有し、前記ステータヨーク及びステータティースは、鋼板の圧延方向を有する方向性珪素鋼板よりなると共に互いに異なる第１、第２方向性を有する構成であり、また、前記ステータヨークは、その円周方向に沿う前記第１方向性を有し、前記ステータティースはその長手方向に沿う前記第２方向性を有している構成であり、また、前記ステータティースの前記根元部には、前記括れ部に連続するテーパ部が形成されている構成であり、また、前記ステータヨークには、前記凹部に対応して薄肉部が形成され、前記薄肉部で曲折されている構成であり、また、前記各ステータティースは、前記ステータヨークの内側又は外側に突出して設けられている構成であり、また、前記各ステータティースには、各ステータティースを前記ステータヨークに取付ける前にステータ巻線が巻付けられている構成である。
【発明の効果】
【０００６】
本発明によるステータ鉄心は、以上のように構成されているため、次のような効果を得ることができる。
すなわち、ステータティースの括れ部をステータヨークの凹部に強固に係合させているため、ステータティースとステータヨークの鋼板の圧延方向である方向性を異ならせて構成し、方向性珪素鋼板の特性を有効に使用することによって鉄損を低減した高効率のステータ鉄心を得ることができる。
また、ステータティースにステータ巻線を巻付けた後に、ステータティースをステータヨークに固定することができ、ステータ巻線の占積率の向上を得ることができる。
【発明を実施するための最良の形態】
【０００７】
本発明は、ステータティースに設けられた括れ部を介してステータティースをステータヨークに強固に取付けると共に、ステータヨークとステータティースの鋼板の圧延方向である方向性を異ならせることにより、方向性珪素鋼板を用いてステータ鉄心を提供することを目的とする。
【実施例】
【０００８】
以下、図面と共に本発明によるステータ鉄心の好適な実施の形態について説明する。
図１において符号１で示されるものはステータ鉄心１Ａを形成するため全体形状が輪状をなすステータヨークであり、このステータヨーク１の内壁１ａには所定角度間隔で凹部２が形成されている。
【０００９】
前記各凹部２には、その根元部３ａに括れ部３ｂを有するステータティース３が係合して取付けられており、このステータティース３とステータヨーク１とは確実に結合されている。
【００１０】
前記ステータティース３とステータヨーク１との分割面４は、前記根元部３ａのテーパ部５及びこのテーパ部５に連続する前記括れ部３ｂとで形成されている。
【００１１】
前記ステータヨーク１とステータティース３とは、何れも、周知の鋼板の圧延方向である方向性を有する方向性珪素鋼板で構成されており、ステータヨーク１が第１方向性Ｘを有し、ステータティース３が第１方向性Ｘとは異なる第２方向性Ｙを有するように構成されている。
【００１２】
前記第１方向性Ｘは、前記ステータヨーク１の円周方向に沿って形成され、前記第２方向性Ｙは、前記ステータティース３の長手方向６に沿って形成されている。
【００１３】
前記ステータティース３には、ステータ巻線７が巻付けられており、このステータ巻線７は、前記ステータティース３を前記ステータヨーク１に取付ける前に、予め、図示しない巻線機により巻付けた後に取付けることにより、ステータ巻線７の占積率を高くすることができる。
【００１４】
前記ステータヨーク１は、図１では輪状に形成された一部が形成されているが、実際には、直線状に形成されたステータヨーク１を、図示しない治具によって輪状（真円状）に曲折させると、このステータヨーク１は前記各凹部２によって形成された薄肉部１０が容易に曲折するため、全体が輪状に形成される。
【００１５】
尚、前記ステータティース３は、ステータヨーク１の内壁１ａから内方に向けて突出して形成されたインナーロータ型の場合について述べたが、前述と逆に、図示しないステータヨーク１の外壁１ｂの凹部２から外方に向けて突出して形成されたステータティース３を有するアウターロータ型のステータ鉄心１Ａとすることもできる。
【図面の簡単な説明】
【００１６】
【図１】本発明によるステータ鉄心を示す要部の平面図である。
【符号の説明】
【００１７】
１    ステータヨーク
１Ａ    ステータ鉄心
１ａ    内壁
１ｂ    外壁
２    凹部
３    ステータティース
３ａ    根元部
３ｂ    括れ部
４    分割面
５    テーパ部
６    長手方向
７    ステータ巻線
１０    薄肉部
Ｘ    第１方向性
Ｙ    第２方向性
【図１】
2007209070.tif 000003